【手続補正書】
【提出日】平成19年9月27日(2007.9.27)
【手続補正１】
【補正対象書類名】明細書
【補正対象項目名】全文
【補正方法】変更
【補正の内容】
【書類名】            明細書
【発明の名称】        携帯電話装置
【特許請求の範囲】
【請求項１】  通信手段と、
音楽を再生する音楽再生手段と、
前記音楽の再生中に着信があったとき前記音楽の再生を中断するように前記音楽再生手段を制御し、かつ前記通信を開始するように前記通信手段を制御し、前記通信の終了時に前記音楽の再生をその中断した個所より前の位置から再開するように前記音楽再生手段を制御する制御手段とを備えた、携帯電話機。
【請求項２】  前記音楽のデータを記憶したメモリの接続が可能なインターフェイスをさらに備える、請求項１に記載の携帯電話機。
【請求項３】  前記音楽のデータを記憶するためのメモリをさらに備える、請求項１に記載の携帯電話機。
【請求項４】  前記メモリはさらに、前記音楽の先頭からの経過時間とその経過時間に対応する前記音楽のデータのアドレスとを含むテーブルを記憶しており、
前記制御手段は、
前記音楽再生手段による音楽の再生開始時にタイマをリセットして始動させる
手段と、
前記音楽の再生中に着信があったとき前記音楽の再生を中断する手段と、
前記音楽の再生を中断したとき前記タイマの経過時間をセーブする手段と、
前記テーブルを参照して、前記通信の終了時に前記セーブした経過時間より所定時間前の経過時間に対応するアドレスを読出し、その読出したアドレスに応じて音楽のデータを読出して前記音楽の再生を再開する手段と含む、請求項２または３に記載の携帯電話機。
【請求項５】  通信手段と、
音楽を再生する音楽再生手段と、
前記音楽の再生中に着信があったとき前記音楽の再生を中断するように前記音楽再生手段を制御し、かつ前記通信を開始するように前記通信手段を制御し、前記通信の終了時に前記音楽の再生をその中断した位置から再開するように前記音楽再生手段を制御する制御手段とを備えた、携帯電話機。
【発明の詳細な説明】
【０００１】
【発明の属する技術分野】
この発明は、携帯電話機に関し、さらに詳しくは、音楽再生機能を備えた携帯電話機の改良に関する。
【０００２】
【従来の技術】
近年、情報技術の発展に伴い、携帯電話機はインターネット等の情報通信網に接続可能な端末として使用され始めている。一方、デジタルオーディオデータの圧縮技術に伴い、音楽データのオンライン配信が可能となっている。これらを背景として、最近、携帯電話機で音楽が聴けるように音楽再生機能を備えた携帯電話機が提案されている。
【０００３】
【発明が解決しようとする課題】
しかしながら、音楽を聴いている最中に着呼があった場合にどのように処理するかについては未だ検討されていない。
【０００４】
単純な処理方法として、音楽の再生を停止して通話を優先することが考えられるが、この方法では通話終了時にその音楽を最初から聴き直すしかなく、着呼時に聴いていた音楽を途中から聴き始めるためには早送りなどをしなけらばならないと考えられる。
【０００５】
この発明は、音楽を聴いている最中に着信があった場合でも利便性に優れた携帯電話機を提供することを目的とする。
【０００６】
【課題を解決するための手段】
この発明に従うと、携帯電話機は、通信手段と、音楽再生手段と、制御手段とを備える。通信手段は、通信を行なう。音楽再生手段は、音楽を再生する。制御手段は、音楽の再生中に着信があったとき音楽の再生を中断するように音楽再生手段を制御しかつ通信を開始するように通信手段を制御し、通信の終了時に音楽の再生をその中断した個所より前の位置から再開するように音楽再生手段を制御する。
【０００７】
したがって、この携帯電話機で音楽を聴いている最中に着信があって通話をしても、通話が終了すればその音楽を着信時に聴いていた個所より所定時間前の部分から聴き始めることができる。
【０００８】
好ましくは、上記携帯電話機はさらに、音楽のデータを記憶したメモリの接続が可能なインターフェイスを備える。あるいは、上記携帯電話機はさらに、音楽のデータを記憶するためのメモリを備える。このように、音楽のデータを記憶するためのメモリは外部記憶装置であっても内部記憶装置であってもよい。
【０００９】
さらに好ましくは、上記メモリはさらに、テーブルを記憶している。テーブルは、音楽の先頭からの経過時間とその経過時間に対応する音楽のデータのアドレスとを含む。上記制御手段は、音楽再生手段による音楽の再生開始時にタイマをリセットして始動させる手段と、音楽の再生中に着信があったとき音楽の再生を中断する手段と、音楽の再生を中断したときタイマの経過時間をセーブする手段と、テーブルを参照して、通信の終了時にセーブした経過時間より所定時間前の経過時間に対応するアドレスを読出し、その読出したアドレスに応じて音楽のデータを読出して前記音楽の再生を再開する手段とを含む。
【００１０】
【発明の実施の形態】
以下、この発明の実施の形態を図面を参照して詳しく説明する。なお、図中同一または相当部分には同一符号を付してその説明は繰返さない。
【００１１】
図１は、この発明の実施の形態による携帯電話機の全体構成を示すブロック図である。図１を参照して、携帯電話機１０は、アンテナ１２と、アンテナ１２を介して基地局と通信を行なう送受信部１４と、音楽を再生する音楽再生部１６と、音声を再生する音声再生部１８と、スピーカやヘッドホンの接続が可能な出力端子２０と、ユーザの声を検出するマイク２１と、メモリカード２２の接続が可能なインターフェイス２４と、種々の情報を表示するディスプレイ２６と、キーボードおよびタッチパネルからなる入力部２８と、携帯電話機１０全体の動作を制御するための主制御部３０と、携帯電話機１０各部のデータおよび制御信号を転送するバス３２とを備える。
【００１２】
通話モードにおいては、音声信号は基地局からアンテナ１２を介して送受信部１４に受信されるとともに、送受信部１４からアンテナ１２を介して基地局に送信される。送受信部１４はアンテナ１２で受信した高周波信号をベースバンド信号に変換し、また、データ信号を変調してアンテナ１２に与える。受信された音声信号はバス３２を介して音声再生部１８に与えられ、ここで再生された音声が出力端子２０を介してスピーカやヘッドホンに与えられる。
【００１３】
一方、音楽再生モードにおいては、メモリカード２２から音楽データが読出され、音楽再生部１６に与えられる。音楽再生部１６により音楽データに基づいて音楽が再生され、出力端子２０を介してスピーカやヘッドホンに与えられる。
【００１４】
ここで、音楽データを記憶したメモリカード２２を得る方法について簡単に説明する。
【００１５】
まず、音楽データが未だ記録されていないメモリカード２２をインターフェイス２４に接続する。続いて、入力部２８のタッチキーやダイヤルキーなどを操作して音楽配信サービスを提供するプロバイダにダイヤルする。ユーザの認証等が完了すると、プロバイダから音楽データが送信され、アンテナ１２、送受信部１４およびインターフェイス２４を介してメモリカード２２に格納される。このようにして配信された音楽データに暗号化や圧縮処理が施されている場合には、復号化や解凍などの処理が行なわれる。
【００１６】
メモリカード２２には複数の音楽データを記憶させることが可能であるが、図２に示されるように各音楽データには再生データインデックステーブルが付与されている。この再生データインデックステーブルは、音楽の先頭からの経過時間と、その経過時間に対応する音楽データのアドレスとを含む。この例では、音楽データは０．５秒ごとに区切られ、その区切られた各データの先頭アドレスが予め登録されている。たとえば、音楽の再生開始から１．５秒経過後にはアドレス「３００」の音楽データに基づいて音楽が再生される。この再生データインデックステーブルは音楽データと一緒にプロバイダから配信されるようにしてもよいが、配信された音楽データに基づいて内部的な演算処理により生成されるようにしてもよい。
【００１７】
上記では音楽データは、携帯電話機１０を介してメモリカード２２に直接ダウンロードしているが、これに代えて、一旦パソコン等にダウンロードし、それをメモリカード２２に転送して使用してもよい。あるいは、予め音楽データが記録されているメモリカード２２を購入して使用してもよい。
【００１８】
次に、上記のように構成された携帯電話機１０の動作について説明する。
【００１９】
まず入力部２８のタッチキーを操作して携帯電話機１０を音楽再生モードにすると、図３に示されるような再生開始メニューがディスプレイ２６に表示される。この例では、３つの音楽の曲名とそれらの再生時間とが表示されている。これら曲名や再生時間のデータもメモリカード２２に記憶されており、主制御部３０がそれらのデータを読出してこのような再生開始メニューをディスプレイ２６に表示させる。
【００２０】
続いて、図４に示されるステップＳ１において、ユーザが入力部２８を操作して再生の開始を指示する。具体的には、入力部２８の上または下ボタンを押して図３に示されるカーソル３４を上下に移動させ、再生したい音楽を選択する。
【００２１】
続いてステップＳ２において、主制御部３０は選択された音楽の「再生曲ＩＤ」をセットし、タイマをリセットし、さらに再生開始位置を選択された音楽データの先頭アドレスにセットする。ここではソフトタイマが用いられ、具体的には「スタートＴｉｍｅ」が０にセットされる。このタイマは内部クロックに応じてインクリメントされる。尚、この例の「スタートＴｉｍｅ」は、音楽データが区切られている秒間隔（本例では０．５秒）ごとにインクリメントされるものとする。
【００２２】
これにより、主制御部３０はメモリカード２２から音楽データを読出して音楽再生部１６に与える。ステップＳ３において、音楽再生部１６はその与えられた音楽データに基づいて音楽を再生する。音楽再生部１６で生成された音楽信号は、出力端子２０を介してスピーカやヘッドホンに与えられる。
【００２３】
ステップＳ４においてユーザが入力部２８を操作して再生の終了を指示したり、ステップＳ５において着呼が検出されたりしない限り、ステップＳ３の再生処理は継続される。
【００２４】
音楽の再生中に着呼があった場合、ステップＳ６において主制御部３０は音楽の再生を中断するように音楽再生部１６を制御する。
【００２５】
続いてステップＳ７において、主制御部３０はステップＳ２でセットした「再生曲ＩＤ」をセーブする。具体的には、「Ｓａｖｅ曲ＩＤ」に「再生曲ＩＤ」をセットする。これと同時に、タイマの経過時間に対応する値もセーブする。具体的には、「再生Ｔｉｍｅ」を「ＳａｖｅＴｉｍｅ」にセットする。
【００２６】
続いてステップＳ８において、主制御部３０は通話を開始するように送受信部１４を制御する。これにより、送受信部１４は着呼を処理して通話処理を開始する。
【００２７】
ユーザが通話を終え、入力部２８を操作して通話処理の終了を指示すると、主制御部３０はステップＳ９において、ステップＳ７でセーブした経過時間に対応する値「ＳａｖｅＴｉｍｅ」を「スタートＴｉｍｅ」にセットする。これと同時に、主制御部３０は、ステップＳ７でセーブした「Ｓａｖｅ曲ＩＤ」を「再生曲ＩＤ」にセットする。
【００２８】
続いてステップＳ１０において、主制御部３０は、メモリカード２２に格納されている再生データインデックステーブルを参照して、セーブした経過時間に対応するアドレスを読出し、その読出したアドレスに応じて音楽データを読出して音楽の再生を再開する。具体的には、ステップＳ９でセットした「再生曲ＩＤ」に応じて再生を中断した音楽を特定し、さらにその音楽データに対応する再生データインデックステーブルを特定する。そして、ステップＳ９でセットした「スタートＴｉｍｅ」から経過時間を抽出し、この抽出された経過時間に応じて再生データインデックステーブルから音楽データのアドレスを特定し、メモリカード２２のそのアドレスから音楽データの読出を再開する。これにより、音楽再生部１６は再生を中断した個所から音楽の再生を開始する。
【００２９】
以上のようにこの実施の形態によれば、音楽の再生中に着呼があったとき音楽の再生を中断して通話を開始し、通話の終了時に音楽の再生をその中断した個所から再開するように構成されているため、音楽を聴いている最中に着呼があって通話をしても通話が終了すればその音楽を着呼時に聴いていた個所から聴き始めることができる。その結果、ユーザは音楽を途中から聴くために早送りなどをする必要がなく、携帯電話で音楽を聴く際に非常に便利である。
【００３０】
しかし、途中で中断し、その個所から再生を行うと、ユーザが、中断する前はどの部分を聞いていたかを認識することができず、ユーザの頭の中で中断する直前と再生開始時との音楽がつながらない場合がある。なお、本例では、音楽を再生している場合について述べているが、音楽の代わりに録音されている会話音声でもよく、特に、会話音声の場合には、再生途中で中断し、その個所から再生を行うと、ユーザが、中断する直前と再生開始時との会話がつながらない場合がある。この場合には、中断した個所より所定時間前から音楽（会話音声）の再生することにより、ユーザが、中断する前はどの部分を聞いていたかを認識できる。
【００３１】
この場合の処理を図５に従い説明する。
【００３２】
ステップＳ１１において、ユーザが入力部２８を操作して再生の開始を指示する。具体的には、入力部２８の上または下ボタンを押して図３に示されるカーソル３４を上下に移動させ、再生したい音楽を選択する。
【００３３】
続いてステップＳ１２において、主制御部３０は選択された音楽の「再生曲ＩＤ」をセットし、タイマをリセットし、さらに再生開始位置を選択された音楽データの先頭アドレスにセットする。ここではソフトタイマが用いられ、具体的には「スタートＴｉｍｅ」が０にセットされる。このタイマは内部クロックに応じてインクリメントされる。尚、この例の「スタートＴｉｍｅ」は、音楽データが区切られている秒間隔（本例では０．５秒）ごとにインクリメントされるものとする。
【００３４】
これにより、主制御部３０はメモリカード２２から音楽データを読出して音楽再生部１６に与える。ステップＳ１３において、音楽再生部１６はその与えられた音楽データに基づいて音楽を再生する。音楽再生部１６で生成された音楽信号は、出力端子２０を介してスピーカやヘッドホンに与えられる。
【００３５】
ステップＳ１４においてユーザが入力部２８を操作して再生の終了を指示したり、ステップＳ１５において着呼が検出されたりしない限り、ステップＳ１３の再生処理は継続される。
【００３６】
音楽の再生中に着呼があった場合、ステップＳ１６において主制御部３０は音楽の再生を中断するように音楽再生部１６を制御する。
【００３７】
続いてステップＳ１７において、主制御部３０はステップＳ１２でセットした「再生曲ＩＤ」をセーブする。具体的には、「Ｓａｖｅ曲ＩＤ」に「再生曲ＩＤ」をセットする。これと同時に、タイマの経過時間に対応する値もセーブする。具体的には、「再生Ｔｉｍｅ」を「ＳａｖｅＴｉｍｅ」にセットする。
【００３８】
続いてステップＳ１８において、主制御部３０は通話を開始するように送受信部１４を制御する。これにより、送受信部１４は着呼を処理して通話処理を開始する。
【００３９】
ユーザが通話を終え、入力部２８を操作して通話処理の終了を指示すると、主制御部３０はステップＳ１９において、ステップＳ１７でセーブした経過時間に対応する値「ＳａｖｅＴｉｍｅ」から所定時間分（本例では、２秒分の値）を引いた値を「スタートＴｉｍｅ」にセット、つまり、中断した経過時間より所定時間前（本例では、２秒前）の経過時間に対応する値がセットされる。これと同時に、主制御部３０は、ステップＳ１７でセーブした「Ｓａｖｅ曲ＩＤ」を「再生曲ＩＤ」にセットする。
【００４０】
続いてステップＳ２０において、主制御部３０は、メモリカード２２に格納されている再生データインデックステーブルを参照して、中断した個所を示す経過時間よりも所定時間前（本例では、２秒前）の位置に対応するアドレスを読出し、その読出したアドレスに応じて音楽データを読出して音楽の再生を再開する。
具体的には、ステップＳ１９でセットした「再生曲ＩＤ」に応じて再生を中断した音楽を特定し、さらにその音楽データに対応する再生データインデックステーブルを特定する。そして、ステップＳ１９でセットした「スタートＴｉｍｅ」から中断した個所から所定時間前（本例では、２秒前）の経過時間を抽出し、この抽出された経過時間に応じて再生データインデックステーブルから音楽データのアドレスを特定し、メモリカード２２のそのアドレスから音楽データの読出を再開する。これにより、音楽再生部１６は再生を中断した個所より所定時間前の部分から音楽の再生を開始できる。
【００４１】
以上のようにこの実施の形態によれば、音楽（会話音声）の再生中に着呼があったとき音楽の再生を中断して通話を開始し、通話の終了時に音楽の再生をその中断した個所から所定時間前の部分から再開するように構成されているため、音楽を聴いている最中に着呼があって通話をしても通話が終了すれば、その音楽を、着呼時に聴いていた少し前の部分から聴き始めることができる。その結果、ユーザは音楽を途中から聴くために早送りなどをする必要がなく、さらには、ユーザが、中断する前はどの部分を聞いていたかを認識でき、ユーザの頭の中で中断する直前と再生開始時との音楽がつながらないという不快感を防止することができる。特に、録音されている会話音声を再生している場合に用いると、中断する直前と再生開始時との会話がつながり、会話が認識できないという不快感を防止でき、携帯電話で音楽や録音した会話音声を聴く際に非常に便利である。
【００４２】
尚、本例では、再生を中断した個所より所定時間前の部分から音楽の再生を開始できるように説明したが、該所定時間をユーザが任意に変更設定可能ようにしてもよい。この場合、ユーザが入力部２８から指示することにより時間変更用の画面（図示しない）をディスプレイ２６に表示させ、時間変更用画面において、任意の所定時間を入力部２８のテンキーや矢印キーから入力設定することにより、ユーザが前記所定時間を任意に変更できるものとする。
【００４３】
また、上記実施の形態では着呼があったとき音楽の再生を中断して通話を開始するようにしているが、メールの受信があったとき音楽の再生を中断してメールのダウンロードを開始するようにしてもよい。また、音楽データおよび再生データインデックステーブルを記憶するためにメモリカード２２のような外部記憶装置を用いているが、これに代えて内部メモリを用いてもよい。さらに、ソフトタイマを用いているが、これに代えて図１に示されるようにハード的なタイマ回路３４を用いてもよい。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４５】
【発明の効果】
この発明によれば、音楽の再生中に着呼があったとき音楽の再生を中断して通話を開始し、通話の終了時に音楽の再生をその中断した個所から所定時間前の部分から再開するように構成されているため、音楽を聴いている最中に着呼があって通話をしても通話が終了すれば、その音楽を、着呼時に聴いていた少し前の部分から聴き始めることができ、ユーザは音楽を途中から聴くために早送りなどをする必要がなく、さらには、ユーザが、中断する前はどの部分を聞いていたかを認識でき、ユーザの頭の中で中断する直前と再生開始時との音楽がつながらないという不快感を防止することができ、音楽再生機能を有する携帯電話機の利便性が向上する。特に、音楽の代わりに録音されている会話音声を再生している場合に用いると、中断する直前と再生開始時との会話がつながり、会話の内容が認識できないという不快感を防止できる。
【図面の簡単な説明】
【図１】
この発明の実施の形態による携帯電話機の全体構成を示すブロック図である。
【図２】
図１に示されるメモリカード中の音楽データおよび再生データインデックステーブルの構造を示す図である。
【図３】
図１に示される携帯電話機のディスプレイに表示される再生開始メニューを示す図である。
【図４】
図１に示される携帯電話機の動作の一例を示すフローチャートである。
【図５】
図１に示される携帯電話機の動作の一例を示すフローチャートである。
【符号の説明】
１０  携帯電話機
１４  送受信部
１６  音楽再生部
２２  メモリカード
２４  インターフェイス
３０  主制御部